(57)【要約】【課題】重ね合わせられた複数枚の用紙の端部揃えが正確に行われ、用紙の正確な位置に穿孔処理等の後処理を行うと共に、画像形成装置の生産性を向上させること。【解決手段】複数枚の用紙を重ね合わせて収容するスタッカと用紙を排紙するための曲率を有する搬送路とを有する搬送ユニットと、重ね合わされた複数枚の用紙の端部を突き当てて揃えるためのストッパと、前記ストッパの用紙搬送方向下流側に設けた搬送ローラと、前記ストッパと前記搬送ローラとの間でループを形成する空間部を有するガイド板と、複数枚の用紙に穿孔処理を行う穿孔部と、用紙搬送を制御する制御部と、を有し、前記制御部は、重ね合わされた用紙を前記搬送路を経由して前記搬送ローラへ搬送し、用紙端部を前記ストッパに突き当てて用紙の端部を揃え、端部揃えされた用紙にループを形成した後に前記穿孔部により穿孔処理を行うように制御することを特徴とする後処理装置。【選択図】図１７
2008285322.tif 000002
【特許請求の範囲】
【請求項１】
複数枚の用紙を重ね合わせて収容するスタッカと、前記スタッカで重ね合わされた複数枚の用紙を排紙するための曲率を有する搬送路とを有する搬送ユニットと、
重ね合わされた複数枚の用紙の端部を突き当てて揃えるためのストッパと、
前記ストッパの用紙搬送方向下流側に設けられた搬送ローラと、
前記ストッパと前記搬送ローラとの間でループを形成する空間部を有するガイド板と、
前記ストッパと前記空間部との間に設けられ複数枚の用紙に穿孔処理を行う穿孔部と、
用紙の搬送を制御する制御部と、を有し、
前記制御部は、前記搬送ユニットにて複数枚の用紙を重ね合わせ、重ね合わされた複数枚の用紙を曲率を有する前記搬送路を経由して前記搬送ローラへ搬送し、前記搬送ローラを駆動して複数枚の用紙を搬送して用紙端部を前記ストッパに突き当てて用紙の端部を揃え、端部揃えされた用紙を更に搬送して用紙にループを形成し、ループを形成した後に前記穿孔部により穿孔処理を行うように制御することを特徴とする後処理装置。
【請求項２】
前記搬送ローラは、正逆回転する駆動ローラと、前記駆動ローラに圧接して従動回転する従動ローラとを有し、
前記制御部は、用紙を導入する時は前記駆動ローラを正回転方向に駆動するように制御し、複数枚の用紙を前記ストッパに突き当てる時は、逆回転方向に駆動するように制御することを特徴とする請求項１に記載の後処理装置。
【請求項３】
前記制御部は、前記スタッカに用紙を導入する時には前記ストッパにより前記搬送路を開放し、前記スタッカに収容された複数枚の用紙の端部を突き当てて端部揃えする時には前記ストッパにより前記搬送路を閉止するように前記ストッパの駆動を制御することを特徴とする請求項１または２に記載の後処理装置。
【請求項４】
前記スタッカに収容された複数枚の用紙の搬送方向に直交する用紙幅方向を整合する整合部材と、
前記駆動ローラと前記従動ローラとの圧接を解除する解除部材とを有し、
前記制御部は、前記整合部材により用紙幅方向を整合する時には、前記駆動ローラと前記従動ローラとの圧接を解除するように前記解除部材の駆動を制御することを特徴とする請求項１乃至３の何れか１項に記載の後処理装置。
【請求項５】
前記搬送ローラは、ワンウェイクラッチを内装する従動ローラを有することを特徴とする請求項１に記載の後処理装置。
【請求項６】
前記従動ローラは、複数枚の前記用紙を前記搬送ユニットから導入する時は、前記駆動ローラに圧接して従動回転し、前記駆動ローラを逆回転して前記複数枚の用紙の端部を揃える時は、前記ワンウェイクラッチにより駆動ローラの回転に抗して回転が停止されることを特徴とする請求項５に記載の後処理装置。
【請求項７】
前記駆動ローラと前記従動ローラの少なくとも一方はゴム部材により形成されていることを特徴とする請求項５又は６に記載の後処理装置。
【請求項８】
用紙に画像形成する画像形成部を有する画像形成装置と、用紙に穿孔処理を行う後処理装置とを有する画像形成システムにおいて、
前記後処理装置は、
複数枚の用紙を重ね合わせて収容するスタッカと、前記スタッカで重ね合わされた複数枚の用紙を排紙するための曲率を有する搬送路とを有する搬送ユニットと、
重ね合わされた複数枚の用紙の端部を突き当てて揃えるためのストッパと、
前記ストッパの用紙搬送方向下流側に設けられた搬送ローラと、
前記ストッパと前記搬送ローラとの間でループを形成する空間部を有するガイド板と、
前記ストッパと前記空間部との間に設けられ複数枚の用紙に穿孔処理を行う穿孔部と、
用紙の搬送を制御する制御部と、を有し、
前記制御部は、前記搬送ユニットにて複数枚の用紙を重ね合わせ、重ね合わされた複数枚の用紙を曲率を有する前記搬送路を経由して前記搬送ローラへ搬送し、前記搬送ローラを駆動して複数枚の用紙を搬送して用紙端部を前記ストッパに突き当てて用紙の端部を揃え、端部揃えされた用紙を更に搬送して用紙にループを形成し、ループを形成した後に前記穿孔部により穿孔処理を行うように制御することを特徴とする画像形成システム。
【発明の詳細な説明】
【技術分野】
【０００１】
本発明は、画像形成装置で画像形成された用紙に対して、後処理装置により穿孔処理を行う後処理装置及び画像形成システムに関する。
【背景技術】
【０００２】
従来より画像形成装置としての複写機に、画像記録後の用紙を穿孔処理、綴じ処理、折り処理、製本処理する機能を有する各種の後処理装置を装着可能とする画像形成システムが知られている。
【０００３】
特許文献１は、多種の折り処理が可能な単シート折り機の用紙搬送路に、穿孔ユニットを設けたものである。この穿孔ユニットは、画像形成装置から導入される用紙の１枚毎に穿孔処理を行うものである。
【０００４】
特許文献２は、重ねて搬送される用紙の先端の位置ずれを防止した用紙搬送装置である。即ち、丁合機に収容された複数枚の用紙を、搬送ベルトの回動により搬送して、用紙の先端部をストッパに当接させて位置決めして、綴じ機によって中綴じ処理するものである。
【特許文献１】特開２００５−１５２２５号公報
【特許文献２】特開２０００−３１８９２２号公報
【発明の開示】
【発明が解決しようとする課題】
【０００５】
しかしながら、特許文献１に示された後処理装置を備えた画像形成システムにおいては、穿孔装置により用紙１枚毎に穿孔処理を行うもので、穿孔処理中においては、後続の用紙を穿孔装置に搬送する事ができず、画像形成装置の用紙排出を待機状態にさせなければならないため、画像形成装置の生産性が低下する。また、重ね合わせられた複数枚の用紙の正確な位置に穿孔処理を行うということを課題としていない。
【０００６】
特許文献２においては、穿孔装置を有するものではなく、中綴じ、中折り等の後処理を実行する間、後続の用紙を後処理装置に搬送する事ができず、画像形成装置の用紙排出を待機状態にさせなければならないため、画像形成装置の生産性が低下する。また、重ね合わせられた複数枚の用紙の端部を揃えるものであるが、用紙の正確な位置に穿孔処理を行うということを課題としているものではない。
【０００７】
本発明は上述のような問題点を解決し、重ね合わせられた複数枚の用紙の端部揃えが正確に行われ、用紙の正確な位置に穿孔処理等の後処理を行うこと、および、画像形成装置の処理能力を生かしつつ後処理を可能とし、画像形成装置の生産性を向上させることを目的とするものである。
【課題を解決するための手段】
【０００８】
上記の目的は、本発明の下記の後処理装置及び画像形成システムによって達成される。
【０００９】
１．  複数枚の用紙を重ね合わせて収容するスタッカと、前記スタッカで重ね合わされた複数枚の用紙を排紙するための曲率を有する搬送路とを有する搬送ユニットと、重ね合わされた複数枚の用紙の端部を突き当てて揃えるためのストッパと、前記ストッパの用紙搬送方向下流側に設けられた搬送ローラと、前記ストッパと前記搬送ローラとの間でループを形成する空間部を有するガイド板と、前記ストッパと前記空間部との間に設けられ複数枚の用紙に穿孔処理を行う穿孔部と、用紙の搬送を制御する制御部と、を有し、前記制御部は、前記搬送ユニットにて複数枚の用紙を重ね合わせ、重ね合わされた複数枚の用紙を曲率を有する前記搬送路を経由して前記搬送ローラへ搬送し、前記搬送ローラを駆動して複数枚の用紙を搬送して用紙端部を前記ストッパに突き当てて用紙の端部を揃え、端部揃えされた用紙を更に搬送して用紙にループを形成し、ループを形成した後に前記穿孔部により穿孔処理を行うように制御することを特徴とする後処理装置。
【００１０】
２．  用紙に画像形成する画像形成部を有する画像形成装置と、用紙に穿孔処理を行う後処理装置とを有する画像形成システムにおいて、前記後処理装置は、複数枚の用紙を重ね合わせて収容するスタッカと、前記スタッカで重ね合わされた複数枚の用紙を排紙するための曲率を有する搬送路とを有する搬送ユニットと、重ね合わされた複数枚の用紙の端部を突き当てて揃えるためのストッパと、前記ストッパの用紙搬送方向下流側に設けられた搬送ローラと、前記ストッパと前記搬送ローラとの間でループを形成する空間部を有するガイド板と、前記ストッパと前記空間部との間に設けられ複数枚の用紙に穿孔処理を行う穿孔部と、用紙の搬送を制御する制御部と、を有し、前記制御部は、前記搬送ユニットにて複数枚の用紙を重ね合わせ、重ね合わされた複数枚の用紙を曲率を有する前記搬送路を経由して前記搬送ローラへ搬送し、前記搬送ローラを駆動して複数枚の用紙を搬送して用紙端部を前記ストッパに突き当てて用紙の端部を揃え、端部揃えされた用紙を更に搬送して用紙にループを形成し、ループを形成した後に前記穿孔部により穿孔処理を行うように制御することを特徴とする画像形成システム。
【発明の効果】
【００１１】
本発明によれば、以下の効果が得られる。
【００１２】
重ね合わせられた複数枚の用紙の端部揃えが正確に行われ、用紙の正確な位置に穿孔処理等の後処理を行うことが可能となる。
【００１３】
さらに、複数枚の用紙を搬送ユニットにより重ね合わせて同時に後処理装置に搬送する事が可能になり、画像形成装置の処理速度を低下させることなく、画像形成装置の画像形成を高速度で行いつつ穿孔処理等の後処理を高精度で行うことが可能となり、画像形成システムの生産性が向上する。
【発明を実施するための最良の形態】
【００１４】
以下に図面を参照して本発明について説明するが、本欄の説明は請求項の技術的範囲や用語の意義に限定されるものではない。
【００１５】
本発明の画像形成システムを図面に基づいて説明する。
【００１６】
図１は画像形成装置Ａ、自動原稿搬送装置ＤＦ、大容量給紙装置ＬＴ、搬送ユニットＢと後処理部Ｃとから成る後処理装置ＦＳから形成された画像形成システムの全体構成図である。
【００１７】
［画像形成装置］
図１の画像形成装置Ａは、画像読取部１、画像処理部２、画像書込部３、画像形成部４、給紙部５、定着装置６、を備えている。
【００１８】
画像形成部４は、感光体４Ａ、帯電部４Ｂ、現像部４Ｃ、転写部４Ｄ、分離部４Ｅ、クリーニング部４Ｆ等から構成されている。
【００１９】
給紙部５は給紙トレイ５Ａ、第１給紙部５Ｂ、第２給紙部５Ｃ、中間搬送部５Ｄ、排紙部５Ｅ、両面給紙部（ＡＤＵ）５Ｆを備えている。
【００２０】
画像形成装置Ａの上部前面側には、入力部及び表示部から成る操作表示部８が配置されている。画像形成装置Ａの上部には、自動原稿搬送装置ＤＦが搭載されている。画像形成装置Ａの図示の左側面の排紙部５Ｅ側には、搬送ユニットＢが、さらにその図示左側には後処理部Ｃが連結されている。搬送ユニットＢと後処理部Ｃにより後処理装置ＦＳを構成している。
【００２１】
自動原稿搬送装置ＤＦの原稿台上に載置された原稿は画像読取部１の光学系により原稿の片面又は両面の画像が読みとられる。読み取られた画像データは、画像処理部２においてアナログ処理、Ａ／Ｄ変換、シェーディング補正、画像圧縮処理等の画像処理後に、画像書込部３に送られる。
【００２２】
画像書込部３においては、半導体レーザからのレーザ光が感光体４Ａに照射され、感光体４Ａ上に静電潜像が形成される。画像形成部４においては、帯電、露光、現像、転写、分離、クリーニング等の処理が行われる。
【００２３】
第１給紙部５Ｂにより給送された用紙Ｓは転写部４Ｄにより画像が用紙Ｓに転写される。画像を担持した用紙Ｓは、定着装置６により定着され、排紙部５Ｅから搬送ユニットＢに送り込まれる。或いは、両面給紙部５Ｆに送り込まれた用紙Ｓは再び画像形成部４において両面に画像形成後、排紙部５Ｅにより排出され、搬送ユニットＢに送り込まれる。
【００２４】
画像形成装置Ａ内に配置された制御部９は制御部９Ａ及び制御部９Ｂからなり、制御部９Ａの通信部と、搬送ユニットＢ内に配置された制御部９Ｂの通信部とは、通信回線９Ｃにより接続され、入力信号、制御信号を授受する。
【００２５】
［大容量給紙装置］
大容量給紙装置ＬＴは、用紙積載部７Ａ、第１給紙部７Ｂ等から成り、連続して用紙Ｓを給送して画像形成装置Ａに送り込む。
【００２６】
なお、大容量給紙装置ＬＴを後述の搬送ユニットＢに接続して、大容量給紙装置ＬＴに収容した画像形成済みの大量の用紙Ｓを直接、搬送ユニットＢに送り込むようにしても良い。
【００２７】
［搬送ユニット］
図２は、搬送ユニットＢと後処理部Ｃとから成る後処理装置ＦＳの正面断面図である。図３は、搬送ユニットＢの部分断面図である。
【００２８】
搬送ユニットＢの搬送部は、用紙Ｓを搬入する搬入部１１、用紙を収納するスタッカ１２、用紙Ｓを搬出する搬出部１３から構成されている。
【００２９】
搬入部１１は、搬送ローラＲ１，Ｒ２及びガイド板１１１から成る用紙搬送路ｒ１１を有する。搬入部１１において、画像形成装置Ａの排紙部５Ｅから排出される用紙Ｓが順次受容されて搬送される。
【００３０】
スタッカ１２は、平行に配置された一対のガイド板１２１、横整合部材１２２、停止部材１２３、ストッパ１２４、及び搬入駆動ローラＲ３、搬出駆動ローラＲ４、従動ローラＲ５、用紙搬送路ｒ１４，ｒ１５，ｒ１６を有する。
【００３１】
搬出部１３は、搬送ローラＲ６、排紙ローラＲ７及びガイド板１３１から成る用紙搬送路ｒ１３を有する。
【００３２】
搬送ユニットＢは、直接排紙経路と、重ね合わせ搬送経路とを有する。
【００３３】
直接排紙経路では、画像形成装置Ａから受け入れた用紙Ｓが、搬入部１１の用紙搬送路ｒ１１を通過し、第１切換部材Ｇ１の上面側と用紙搬送路ｒ１２とを通過し、更に、搬出部材１３の用紙搬送路ｒ１３を通過して排出され、後処理部Ｃに１枚ずつ送り込まれる。
【００３４】
重ね合わせ搬送経路では、画像形成装置Ａから受け入れた用紙Ｓが１枚ずつ搬入部１１の用紙搬送路ｒ１１を通過し、第１切換部材Ｇ１の下面側の用紙搬送路ｒ１４を通過してスタッカ１２に導入され、搬入駆動ローラＲ３、従動ローラＲ５に挟持されて搬送され、２枚のガイド板１２１の間に形成された用紙搬送路ｒ１５に収容される。
【００３５】
後続の用紙Ｓも引き続き用紙搬送路ｒ１１，ｒ１４を経由して用紙搬送路ｒ１５内に重ね合わせ状態で収容される。
【００３６】
従動ローラＲ５を支持する支持板１２５は、図示しないソレノイドによって駆動されて揺動する従動ローラＲ５は、搬入駆動ローラＲ３と搬出駆動ローラＲ４の何れかに当接して従動回転する。
【００３７】
搬送ローラＲ１，Ｒ２、搬入駆動ローラＲ３は、モータＭ１によって駆動回転され、画像形成装置Ａの排紙部５Ｅにおける用紙Ｓの排紙線速と同速に制御される。
【００３８】
モータＭ２は搬出駆動ローラＲ４、搬送ローラＲ６、排紙ローラＲ７を同一の線速で駆動回転させる。
【００３９】
スタッカ１２に導入され、ガイド板１２１間の用紙搬送路ｒ１５に収容された用紙Ｓの先端部は、停止部材１２３に当接して停止する。
【００４０】
停止部材１２３は、モータＭ３によって回動されるベルト１２６に係止され、ガイドバー１２７に案内されて昇降する。
【００４１】
左右一対の横整合部材１２２は、モータＭ４によって駆動され、用紙Ｓの幅方向の整合を行う。
【００４２】
ストッパ１２４は図示しないソレノイドによって駆動されて揺動し、用紙搬送路ｒ１６を開閉する。
【００４３】
図４乃至図９は搬送ユニットＢにおける用紙重ね合わせの搬送動作を示す断面図である。
【００４４】
以下、搬送ユニットＢにおける用紙搬送過程を説明する。
【００４５】
（１）  図４において、従動ローラＲ５は、駆動回転する搬入駆動ローラＲ３に圧接して従動回転する。搬送ローラＲ１，Ｒ２に挟持されて搬送される１枚目の用紙Ｓ１は、用紙搬送路ｒ１１，ｒ１４内を搬送され、搬入駆動ローラＲ３と従動ローラＲ５に挟持されて搬送され、用紙搬送路ｒ１５内を下降する。
【００４６】
（２）  用紙搬送路ｒ１５に搬送された１枚目の用紙Ｓ１の先端部は、停止部材１２３に当接して停止する（図２参照）。
【００４７】
（３）  図５において、停止部材１２３がモータＭ３により初期位置から所定距離上昇した第１位置に移動し、用紙Ｓ１の上端部が搬出駆動ローラＲ４の近傍に到達して停止する。
【００４８】
（４）  図６において、搬送ローラＲ２に挟持されて搬送される２枚目の用紙Ｓ２は、用紙搬送路ｒ１４内を搬送され、搬入駆動ローラＲ３と従動ローラＲ５に挟持されて搬送され、ガイド板１２１内の用紙搬送路ｒ１５を進行する。
【００４９】
（５）  図７において、２枚目の用紙Ｓ２がスタッカ１２の用紙搬送路ｒ１５のガイド板１２１に沿って搬送され、２枚目の用紙Ｓ２の先端部は、図２に示す停止部材１２３の停止面部１２３Ａに当接して停止する。この時、停止部材１２３は第１位置から初期位置に上昇されている。この停止位置において、２枚目の用紙Ｓ２は１枚目の用紙Ｓ１と重ね合わされた状態となる。
【００５０】
（６）  図８において、支持板１２５を揺動させ、従動ローラＲ５を搬出駆動ローラＲ４から離間させる。その後、停止部材１２３がモータＭ３により、第１位置より更に上方で、初期位置から所定距離上昇した第２位置に移動する。重ね合わされた２枚の用紙Ｓ１，Ｓ２の下端部は停止部材１２３により押し上げられる。２枚の用紙Ｓ１，Ｓ２の上端部はストッパ１２４に当接して停止することで縦方向に整合される。縦方向に整合された２枚の用紙Ｓ１，Ｓ２の上端部の停止位置は、搬出駆動ローラＲ４のニップ位置より搬送方向下流側である。
【００５１】
縦整合と同時または終了後に、横整合部材１２２がモータＭ４によって駆動されて、用紙Ｓ１，Ｓ２の幅方向の側縁を押圧して横方向の整合を行う（図２参照）。
【００５２】
（７）  図９において、ストッパ１２４が図示しないソレノイドの駆動により用紙搬送路ｒ１６から退避して開放状態とする。搬出駆動ローラＲ４の駆動回転により、搬出駆動ローラＲ４と従動ローラＲ５とに挟持された重ね合わされた２枚の用紙Ｓ１，Ｓ２は搬送され、更に搬送ローラＲ６、排紙ローラＲ７に挟持されて排出される。ほぼ同時に、搬入駆動ローラＲ３と従動ローラＲ５に挟持されて搬送される３枚目の用紙Ｓ３が、スタッカ１２のガイド板１２１内に向けて進行する。
【００５３】
なお、後続の後処理部Ｃとして穿孔部を装着した場合は、搬送ユニットＢが２枚以上の用紙Ｓを重ね合わせて後続の後処理部Ｃに搬送する事により、２枚以上の用紙Ｓを同時に穿孔処理する事が可能である。
【００５４】
また、後続の後処理部Ｃとして平綴じ機、中綴じ機、糊付け製本機、大容量用紙積載機等を装着した場合は、搬送ユニットＢが２枚以上の用紙Ｓを重ね合わせて後続の後処理部Ｃに搬送して用紙束を形成する事により、迅速に後処理が実行される。
【００５５】
［後処理部Ｃ］
図１０は後処理部Ｃの全体構成図である。
【００５６】
後処理部Ｃは、搬入部１０、穿孔部２０、搬送部３０、折り部４０、表紙給紙部５０から構成されている。
【００５７】
穿孔部２０は、画像形成装置Ａ、搬送ユニットＢから搬送される用紙Ｓ、または表紙給紙部５０から搬送される表紙用紙Ｋに穿孔処理を行う。
【００５８】
搬送部３０は、画像形成装置Ａ、搬送ユニットＢ等から搬送される用紙Ｓ、または表紙給紙部５０から搬送される表紙Ｋを導入して、折り部４０または排出部に搬送する。
【００５９】
折り部４０は、第１折り部４１、第２折り部４２、第３折り部４３において、外中折り、内中折り、Ｚ折り、外三つ折り、内三つ折り、内四つ折り（観音折りとも称す）、ダブルパラレル折り等の各種折り処理を実施する。
【００６０】
表紙給紙部５０は、表紙用紙Ｋ、又はインサート用紙等を搬送部３０に供給する。
【００６１】
搬入部１０の入口ローラＲ１１に導入された用紙Ｓは、搬送路を切り換える第２切換部材Ｇ２によって搬出部６０と穿孔部２０の何れかに分岐される。
【００６２】
表示操作部８にて穿孔処理及び折り処理が設定されていない場合には、第２切換部材Ｇ２は穿孔部２０への用紙搬送路を遮断し、搬出部６０への用紙搬送路を開放する。
【００６３】
搬出部６０に向かう用紙搬送路ｒ２１を通過する用紙Ｓは、搬送ローラＲ１２，Ｒ１３に挟持されて直進し、排紙ローラＲ１４により排出される。
【００６４】
第３切換部材Ｇ３によって分岐された用紙Ｓは、用紙搬送路ｒ２２の搬送ローラＲ１５を通過し、排紙ローラＲ１６によって排出される。
【００６５】
表紙給紙部５０内に収容された表紙用紙Ｋ、又はインサート用紙は、分離ローラ５１により分離、給送され、用紙搬送路ｒ２３の搬送ローラＲ１７，Ｒ１８，Ｒ１９，Ｒ２０に挟持されて、入口ローラＲ１１の上流側の用紙搬送路に合流される。
【００６６】
穿孔処理または折り処理が設定されると、第２切換部材Ｇ２が図示しないソレノイドによって揺動されて、用紙搬送路ｒ３１が開放状態となる。用紙搬送路ｒ３１に導入された用紙Ｓは、穿孔部２０を通過して搬送部３０に送り込まれる。
【００６７】
以下、用紙Ｓ、表紙用紙Ｋ、インサート用紙を一括して用紙Ｓと総称する。
【００６８】
〈搬送部３０〉
搬入部１０の第２切換部材Ｇ２により分岐された用紙Ｓは、第２切換部材Ｇ２の下方に配置された搬送ローラＲ３１に挟持され、用紙搬送路ｒ３１により穿孔部２０に搬送される。
【００６９】
穿孔部２０を通過した用紙Ｓは、搬送ローラＲ３２、Ｒ３３，Ｒ３４，Ｒ３５，Ｒ３６に挟持されて搬送部３０に搬送される。
【００７０】
〈穿孔部２０〉
穿孔部２０の穿孔器は、モータＭ８により駆動されるパンチ２１と、パンチ２１の刃部に嵌合するダイス２２とから成る。穿孔処理された用紙Ｓは、下方の搬送部３０に搬送される。
【００７１】
図１１は整合部３１の断面図である。
【００７２】
穿孔部２０の下流側の搬送部３０には、整合部３１が配置され、穿孔処理前の用紙Ｓの幅方向を整合する。
【００７３】
左右一対の整合板３１１，３１２は、モータＭ５によって駆動されて回動する無端状のベルト３１３に固定されたピン３１４，３１５にそれぞれ固定されている。整合板３１１，３１２は、ベルト３１３の回動により、ピン３１４，３１５を介して移動し、搬送方向に直交する幅方向の整合を行う。
【００７４】
その後、図１０に示すようにモータＭ６は駆動軸３３を介して、駆動ローラＲ３２Ａ、及び搬送ローラＲ３３，Ｒ３４、Ｒ３５，Ｒ３６の各駆動ローラを正逆回転させる。
【００７５】
搬送ローラＲ３２，Ｒ３４，Ｒ３５、Ｒ３６にはそれぞれ解除部材であるソレノイドＳＤ１，ＳＤ２，ＳＤ３，ＳＤ４が接続され、対向する各ローラに接離可能である。
【００７６】
穿孔処理された小サイズの用紙Ｓのうち、折り処理が行われない用紙Ｓは、第３切換部材Ｇ３により分岐された用紙搬送路ｒ３２を通過し、折り部４０に搬送される。穿孔処理された大サイズの用紙Ｓは、折り処理の要否に拘わらず第３切換部材Ｇ３の分岐位置の下方の用紙搬送路ｒ３３を通過し、折り部４０に搬送される。
【００７７】
なお、搬送部３０に第４切換部材Ｇ４が設けられ、２枚の小サイズの用紙Ｓを蓄積して搬送する事により、２枚同時に後述の折り処理を行う事ができる。また、第４切換部材Ｇ４を素通りさせて、用紙Ｓを１枚毎に折り処理するように構成し得ることは勿論である。
【００７８】
図１２は、穿孔処理及び折り処理された用紙Ｓの斜視図である。
【００７９】
穿孔部２０により穿孔処理されて孔ｈが穿設された用紙Ｓを図１２（ａ）の斜視図に示す。穿孔部２０により穿孔処理された後、Ｚ折り処理された用紙Ｓを図１２（ｂ）の斜視図に示す。
【００８０】
〈折り部４０〉
図１０において、搬送部３０から折り部４０に搬送された用紙Ｓは、第１折り部４１、第２折り部４２、第３折り部４３において、外中折り、内中折り、Ｚ折り、外三つ折り、内三つ折り、内四つ折り、ダブルパラレル折り等の各種の折り処理が実施されて、機外に排出される。
【００８１】
図１３は、本実施形態に係わる制御のブロック図である。制御部９は、画像形成装置に設けられた制御部９Ａおよび後処理装置ＦＳに設けられた制御部９Ｂから構成され、制御部９Ａと制御部９Ｂの協動により画像形成システムを制御する。制御部９Ａおよび制御部９Ｂは、ＣＰＵ、ＲＯＭ、ＲＡＭ等から構成されている。制御部９Ａは、画像形成装置の各部を制御すると共に、後処理装置ＦＳの制御部９Ｂに各種処理を行うための制御情報を送信する。操作表示部８は、後処理の種類を設定する後処理設定部を有し、穿孔処理、折り処理等が設定される。後処理設定部において設定された後処理情報は、制御部９Ａを介して制御部９Ｂに送信される。制御部９Ｂは、搬送ユニットＢおよび後処理部Ｃの各部を制御する。詳細には、制御部９Ｂは、搬送ユニットＢのモータＭ１〜Ｍ４、各搬送ローラ、横整合部材１２２、切換部材Ｇ１、等の駆動を制御し、所定のタイミングで用紙を搬送する。また、制御部９Ｂは、後処理部Ｃの穿孔部２０、搬送部３０、整合部３１、ストッパ３２、モータＭ５〜Ｍ８、ソレノイドＳＤ１〜ＳＤ４、切換部材Ｇ２、Ｇ３、Ｇ４、等の駆動を制御し、所定のタイミングで用紙を搬送する。
【００８２】
（実施形態１）
図１４は、本実施形態１に係る穿孔部２０と搬送部３０の断面図である。
【００８３】
搬送ユニットＢにおいて二枚重ねされた用紙Ｓ１，Ｓ２は、搬送ローラＲ１１、Ｒ３１に挟持されて図示の左右一対のガイド板３４Ａ、３４Ｂにより形成される搬送路内に収容される。ガイド板３４Ａ、３４Ｂは曲率を有する搬送路を形成し、用紙Ｓ１、Ｓ２を湾曲させた状態で保持する。
【００８４】
二枚重ねされた用紙Ｓ１，Ｓ２を挟持して搬送する搬送ローラＲ３１の下方で、更に穿孔部２０の穿孔位置と搬送ローラＲ３２との中間の用紙搬送路の一方の側面のガイド板３４Ａは、上方に大きく開いた傾斜面を有し、このガイド板３４Ａと用紙搬送路ｒ３４との間にＶ字状の空間部Ｖが形成されている。
【００８５】
以下、搬送ユニットＢ（図２参照）から排出された複数枚の用紙Ｓに後処理部Ｃにて穿孔処理を行う過程を図１４〜図１８の断面図により説明する。図１５乃至図１８は後処理部Ｃにおける二枚重ねされた用紙の穿孔処理動作を示す断面図である。
【００８６】
（１）  図１４において、穿孔処理時には、搬送ユニットＢから排出され、入口ローラＲ１１に導入された二枚重ねされた用紙Ｓ１，Ｓ２は、第２切換部材Ｇ２の下方の用紙搬送路ｒ３１に導入され、搬送ローラＲ３１に挟持されて搬送される。下降搬送される用紙Ｓ１，Ｓ２は、未駆動の穿孔部２０を通過して、駆動源のモータＭ６によって回転される駆動ローラＲ３２Ａと従動ローラＲ３２Ｂに挟持されて、湾曲状に形成された用紙搬送路ｒ３４及び搬送ローラＲ３３を通過する。更に、搬送ローラＲ３４によって搬送される。
【００８７】
（２）  図１５において、入口ローラＲ１１の用紙搬送路上流側に配置されたセンサＰＳが二枚重ねされた用紙Ｓ１，Ｓ２の後端の通過を検知したのち、所定時間経過後、モータＭ６の駆動が停止され、駆動ローラＲ３２Ａ、従動ローラＲ３２Ｂ、搬送ローラＲ３３、搬送ローラＲ３４の回転が停止され、用紙Ｓ１，Ｓ２の搬送が停止される。この停止状態において、用紙Ｓ１，Ｓ２の搬送方向の後端は、ストッパ３２の下方近傍で停止する。
【００８８】
（３）  用紙Ｓ１，Ｓ２が停止した状態で、解除部材であるソレノイドＳＤ１が作動して、駆動ローラＲ３２Ａを移動させて従動ローラＲ３２Ｂから離間させる。同時にソレノイドＳＤ２が作動して、搬送ローラＲ３４が離間状態になり、用紙Ｓ１，Ｓ２の挟持が解除される。
【００８９】
用紙Ｓ１，Ｓ２の挟持が解除されると、直ちに、図１１に示すモータＭ５が作動して整合部３１の駆動により、用紙Ｓ１，Ｓ２の幅方向が整合される。整合処理が終了すると、ソレノイドＳＤ１，ＳＤ２の作動が解除され、駆動ローラＲ３２Ａと従動ローラＲ３２Ｂとの圧接、及び搬送ローラＲ３４の圧接がされる。
【００９０】
この整合処理時には、用紙Ｓ１，Ｓ２は一時、挟持が解除されてフリーとなるが、用紙Ｓ１，Ｓ２が湾曲状に形成された用紙搬送路ｒ３４のガイド板に摺接して、その摩擦抵抗によって下降が抑止されて停止状態に保持される。
【００９１】
（４）  整合処理が終了した後、モータＭ７の駆動によりストッパ３２が揺動されて用紙搬送路を閉止する。次に、モータＭ６の逆転の駆動により、駆動ローラＲ３２Ａが逆回転して二枚重ねされた用紙Ｓ１，Ｓ２が逆送されて上昇する。逆送される用紙Ｓ１、Ｓ２の搬送方向先端部はストッパ３２に突き当てられて揃えられる。
【００９２】
複数枚の用紙Ｓ１，Ｓ２を重ねて搬送する場合、図２に示すように、搬送ユニットＢの用紙搬送路ｒ１６から後処理部Ｃの用紙搬送路ｒ３１に至る曲率を有する搬送路を重ね合わされた用紙Ｓ１，Ｓ２が搬送される。曲率を有する搬送路の内側を通過する用紙Ｓ１の先端部は外側を通過する用紙Ｓ２の先端部より早く穿孔部２０を通過する。即ち、内側の用紙Ｓ１の搬送路長さが外側の搬送路長さより短いため、図１５に示すように、用紙Ｓ１の端部（図示の上端部）は用紙Ｓ２の端部より低いずれた位置で停止する。
【００９３】
（５）  図１６において、モータＭ６の駆動開始により駆動ローラＲ３２Ａが逆回転を開始し、従動ローラＲ３２Ｂとの挟持により用紙Ｓ１、Ｓ２を上方に逆送させ、用紙Ｓ１、Ｓ２の上端部をストッパ３２に当接させる位置に到達させる。モータＭ６は駆動を継続し、二枚重ねされた用紙Ｓ１，Ｓ２を更に逆送する。用紙Ｓ１，Ｓ２の端部はストッパ３２に規制されて停止される。用紙Ｓ１，Ｓ２の中間部は、ガイド板３４Ａにより形成された空間部Ｖ内でループを形成して停止し、用紙Ｓ１，Ｓ２の端部が揃えられ、モータＭ６の駆動が停止する。
【００９４】
（６）  図１７において、用紙Ｓ１，Ｓ２の各端部がストッパ３２に当接して停止した状態で、穿孔部２０により複数枚の用紙に同時に穿孔処理が行われる。
【００９５】
（７）  図１８において、穿孔処理後に、駆動ローラＲ３２Ａと従動ローラＲ３２Ｂおよび搬送ローラＲ３４の圧接を解除し、用紙Ｓ１，Ｓ２の挟持を解除する。用紙Ｓ１、Ｓ２のループを解消した後に再び挟持する。これにより用紙Ｓ１、Ｓ２の先端部および後端部が揃った状態となる。次に、ストッパ３２がソレノイド等の駆動手段により揺動されて、用紙搬送路を開放状態にする。モータＭ６により正回転する駆動ローラＲ３２Ａと従動ローラＲ３２Ｂとに挟持された用紙Ｓ１，Ｓ２は搬送ローラＲ３４に挟持されて下流側へ搬送される。
【００９６】
このような後処理装置ＦＳでは、用紙を重ね合わせて搬送すると、用紙搬送路の曲率により、搬送路長に内外差が生じ、穿孔位置ズレが生じるが、複数枚の用紙の端部を揃えるストッパに突き当てて揃える時に、用紙Ｓ２が最初にストッパに突き当たり、更に搬送して用紙Ｓ２にループを形成させることで、位置ズレしている用紙Ｓ１も同時に搬送されてストッパまで到達でき、用紙Ｓ１、Ｓ２の端部を位置ズレなく揃えることができる。
【００９７】
（実施形態２）
図１９は、本実施形態２に係る穿孔部２０と搬送部３０の断面図である。
【００９８】
搬送ユニットＢにおいて二枚重ねされた用紙Ｓ１，Ｓ２は、搬送ローラＲ１１、Ｒ３１に挟持されて図示の左右一対のガイド板３４Ａ、３４Ｂにより形成される搬送路内に収容される。ガイド板３４Ａ、３４Ｂは曲率を有する搬送路を形成し、用紙Ｓ１、Ｓ２を湾曲させた状態で保持する。
【００９９】
搬送ローラＲ３２は、ワンウェイクラッチＣＬを内装する従動ローラＲ３２Ｂと、従動ローラＲ３２Ｂと接離可能に支持され、モータＭ６に接続して正逆回転する駆動ローラＲ３２Ａとを有する。
【０１００】
制御部９Ｂは、用紙Ｓ１、Ｓ２を導入する時は駆動ローラＲ３２Ａを正回転方向に駆動するように制御し、用紙Ｓ１、Ｓ２をストッパ３２に突き当てる時には逆回転方向に駆動するように制御する。
【０１０１】
従動ローラＲ３２Ｂは、用紙Ｓ１、Ｓ２を搬送部３０に導入する時は、駆動ローラＲ３２Ａに圧接して従動回転し、用紙をストッパ３２に突き当てて端部を揃える時、即ち、駆動ローラＲ３２Ａが逆回転方向に駆動する時には、ワンウェイクラッチＣＬにより駆動ローラＲ３２Ａの回転に抗して回転が停止される。
【０１０２】
駆動ローラＲ３２Ａは、用紙との摩擦力を増大し、搬送力を増大するために、弾性を有するゴム部材Ｒ３２Ｃにより被覆して形成されている。従動ローラＲ３２Ｂの外周表面も用紙との摩擦力を増大し、用紙を保持するために、ゴム部材Ｒ３２Ｄにより被覆して形成されている。
【０１０３】
以下、搬送ユニットＢ（図２参照）から排出された複数枚の用紙Ｓに後処理部Ｃにて穿孔処理を行う過程を図１９〜図２３の断面図により説明する。図２０〜図２３は、本実施形態２に係る後処理部における重ね合わせ用紙の穿孔処理動作を示す断面図である。
【０１０４】
（１）  図１９において、穿孔処理時には、搬送ユニットＢから排出され、入口ローラＲ１１に導入された二枚重ねされた用紙Ｓ１，Ｓ２は、第２切換部材Ｇ２の下方の用紙搬送路ｒ３１に導入され、搬送ローラＲ３１に挟持されて搬送される。下降搬送される用紙Ｓ１，Ｓ２は、未駆動の穿孔部２０を通過して、駆動源のモータＭ６によって回転される駆動ローラＲ３２Ａと従動ローラＲ３２Ｂに挟持されて、湾曲状に形成された用紙搬送路ｒ３４及び搬送ローラＲ３３を通過する。更に、搬送ローラＲ３４によって搬送される。
【０１０５】
（２）  図２０において、入口ローラＲ１１の用紙搬送路上流側に配置されたセンサＰＳが二枚重ねされた用紙Ｓ１，Ｓ２の後端の通過を検知したのち、所定時間経過後、モータＭ６の駆動が停止され、駆動ローラＲ３２Ａ、従動ローラＲ３２Ｂ、搬送ローラＲ３３、搬送ローラＲ３４の回転が停止され、用紙Ｓ１，Ｓ２の搬送が停止される。この停止状態において、用紙Ｓ１，Ｓ２の搬送方向の後端は、ストッパ３２の上方近傍で停止する。
【０１０６】
用紙Ｓ１は、上流側の曲率を有する搬送路を通過することにより、用紙Ｓ２より早く搬送部３０に到達するため、用紙Ｓ１の後端はストッパ３２の規制位置より下方に位置して停止する。
【０１０７】
即ち、用紙Ｓ１，Ｓ２を重ねて搬送する場合、図２に示すように、搬送ユニットＢの用紙搬送路ｒ１６から後処理部Ｃの用紙搬送路ｒ３１に至る曲率を有する搬送路を重ね合わされた用紙Ｓ１，Ｓ２が搬送されるとき、曲率を有する搬送路の内側を通過する用紙Ｓ１の先端部は外側を通過する用紙Ｓ２の先端部より早く穿孔部２０を通過する。即ち、内側の用紙Ｓ１の搬送路長さが外側の搬送路長さより短いため、図２０に示すように、用紙Ｓ１の端部は用紙Ｓ２の端部より低いずれた位置で停止する。
【０１０８】
（３）  用紙Ｓ１，Ｓ２が停止した状態で、解除部材であるソレノイドＳＤ１が作動して、駆動ローラＲ３２Ａを移動させて従動ローラＲ３２Ｂから離間させる。同時にソレノイドＳＤ２が作動して、搬送ローラＲ３４が離間状態になり、用紙Ｓ１，Ｓ２の挟持が解除される。湾曲したガイド部材３４Ａ，３４Ｂにより形成される搬送路内に収容される用紙Ｓ１，Ｓ２は、ガイド部材３４Ａ，３４Ｂと摺接して、摩擦力により保持され、用紙Ｓ１，Ｓ２の自重による落下が防止される。
【０１０９】
用紙Ｓ１，Ｓ２の挟持が解除されると、直ちに、図１１に示すモータＭ５が作動して整合部３１の駆動により、用紙Ｓ１，Ｓ２の幅方向が整合される。整合処理が終了すると、ソレノイドＳＤ１，ＳＤ２の作動が解除され、駆動ローラＲ３２Ａと従動ローラＲ３２Ｂ及び搬送ローラＲ３４が圧接される。
【０１１０】
（４）  整合処理が終了した後、モータＭ７の駆動によりストッパ３２が揺動されて用紙搬送路を閉止する。この時に、用紙Ｓ２の図示上方の後端は、ストッパ３２により押圧されて規制位置Ｌに位置決めされる。
【０１１１】
（５）  次に、モータＭ６の逆転の駆動により、駆動ローラＲ３２Ａが逆回転して用紙Ｓ１が逆送されて上昇する。逆送される用紙Ｓ１の搬送方向先端部はストッパ３２に突き当てられて用紙Ｓ２の端部と揃えられ、モータＭ６の駆動が停止する。
【０１１２】
この時に、従動ローラＲ３２Ｂは、ワンウェイクラッチＣＬの作用により、駆動ローラＲ３２Ａが逆回転しても従動することはなく停止状態で、用紙Ｓ２に摩擦力を及ぼす。このため用紙Ｓ２は用紙Ｓ１が搬送されても搬送が停止した状態を維持する。
【０１１３】
駆動ローラＲ３２Ａの搬送力は、用紙Ｓ１との摩擦力により用紙Ｓ１に作用し、従動ローラＲ３２Ｂと用紙Ｓ２との摩擦力により停止している用紙Ｓ２と用紙Ｓ１との間の摩擦力に抗して用紙Ｓ１を上方に搬送する。
【０１１４】
これにより、用紙Ｓ１、Ｓ２の各端部がストッパ３２に当接して揃えられる。
【０１１５】
モータＭ６は駆動を継続し、用紙Ｓ１を更に上昇させるが、用紙Ｓ１の端部はストッパ３２に規制されて停止しているため、用紙Ｓ１の中間部は、ガイド板３４Ａ、３４Ｂにより形成された空間部でループを形成して停止し、用紙Ｓ１，Ｓ２の端部が確実に揃えられ、モータＭ６の駆動が停止する。
【０１１６】
（６）  図２２において、用紙Ｓ１，Ｓ２の各端部がストッパ３２に当接して停止した状態で、穿孔部２０により複数枚の用紙に同時に穿孔処理が行われる。
【０１１７】
（７）  図２３において、穿孔処理後に、駆動ローラＲ３２Ａと従動ローラＲ３２Ｂおよび搬送ローラＲ３４による圧接を解除し、用紙Ｓ１，Ｓ２の挟持を解除する。用紙Ｓ１、Ｓ２に形成されたループを解消した後に再び挟持する。これにより用紙Ｓ１、Ｓ２の先端部および後端部が揃った状態となる。次に、ストッパ３２がソレノイド等の駆動手段により揺動されて、用紙搬送路を開放状態にする。モータＭ６により正回転する駆動ローラＲ３２Ａと従動ローラＲ３２Ｂとに挟持された用紙Ｓ１，Ｓ２は搬送ローラＲ３４に挟持されて下流側へ搬送される。
【０１１８】
このような後処理装置ＦＳでは、用紙を重ね合わせて搬送すると、用紙搬送路の曲率により、搬送路長に内外差が生じることにより、重ね合わされた用紙Ｓ１、Ｓ２が不揃いとなり穿孔位置ズレが生じる。このため、複数枚の用紙の端部を揃えるストッパ３２に用紙Ｓ２を位置決めした後に、従動ローラ３２ＢのワンウェイクラッチＣＬの作用および摩擦力により用紙Ｓ１のみをストッパ３２に突き当てるように搬送することにより、位置ズレしている用紙Ｓ１、Ｓ２の端部を位置ズレなく揃えることができる。
【０１１９】
このような方式によれば、用紙の長さに関係なくコンパクトな装置で、二枚重ねした用紙に位置ズレなく穿孔処理することができる。
【０１２０】
以上、説明したように、二枚重ねした用紙Ｓに穿孔処理を行うことにより、従来の１枚毎に穿孔処理する場合に比して、２倍の処理時間が確保される。即ち、二枚重ねした用紙に穿孔処理する間に、画像形成装置Ａから排出された後続の２枚の用紙Ｓを連続して搬送ユニットに搬送して重ね合わせて収容することにより、穿孔処理に拘わらず画像形成装置Ａの生産性を維持することが可能となる。したがって、後処理装置を接続した高速の画像形成装置に有効である。
【０１２１】
なお、本実施形態では、画像形成装置Ａと組み合わせる各種の後処理装置について説明したが、軽印刷機、プリンタ、複合機等の画像形成装置に接続して使用する後処理装置にも適用可能である。また、画像形成装置Ａから分離した単独の形態の後処理機として各種処理を実施することも可能である。
【０１２２】
以上のように、本発明によれば、特定の後処理性能を安定かつ確実に発現する事が可能であるから、特に、軽印刷分野向けの画像形成装置として有効である事が確認され、「必要なときに必要な部数だけプリントを行う」プリントオンデマンド方式の製本作業が高速に行えるようになった。
【図面の簡単な説明】
【０１２３】
【図１】画像形成装置、自動原稿搬送装置、大容量給紙装置、搬送ユニット、後処理部とから成る後処理装置から形成された画像形成システムの全体構成図。
【図２】搬送ユニットと後処理部とから成る後処理装置の正面断面図。
【図３】搬送ユニットの部分断面図。
【図４】搬送ユニットにおける１枚目の用紙の導入過程を示す断面図。
【図５】搬送ユニットにおける１枚目の用紙の収容、停止状態を示す断面図。
【図６】搬送ユニットにおける２枚目の用紙の導入を示す断面図。
【図７】搬送ユニットにおける２枚目の用紙の収容、停止状態を示す断面図。
【図８】搬送ユニットにおける重ね合わせ用紙の端面部揃えを示す断面図。
【図９】搬送ユニットにおける重ね合わせ用紙の排出を示す断面図。
【図１０】後処理部の全体構成図。
【図１１】整合部の断面図。
【図１２】穿孔処理及び折り処理された用紙の斜視図。
【図１３】本実施形態に係わる制御のブロック図。
【図１４】本実施形態１に係る穿孔部と搬送部の断面図。
【図１５】本実施形態１の後処理部におけるストッパの動作により用紙搬送路が閉止された状態を示す断面図。
【図１６】本実施形態１の後処理部における重ね合わせ用紙の端面部揃えを示す断面図。
【図１７】本実施形態１の後処理部における重ね合わせ用紙への穿孔処理を示す断面図。
【図１８】本実施形態１の後処理部における穿孔処理後の重ね合わせ用紙の排出を示す断面図。
【図１９】本実施形態２に係る穿孔部２０と搬送部３０の断面図。
【図２０】本実施形態２の後処理部におけるストッパの動作により用紙搬送路が閉止される直前の状態を示す断面図。
【図２１】本実施形態２の後処理部のストッパ動作後における重ね合わせ用紙の端面がストッパに当接した状態を示す断面図。
【図２２】本実施形態２の後処理部における重ね合わせ用紙への穿孔処理を示す断面図。
【図２３】本実施形態２の後処理部における穿孔処理後の重ね合わせ用紙の排出を示す断面図。
【符号の説明】
【０１２４】
１１  搬入部
１２  スタッカ
１２４  ストッパ
１３  搬出部
２０  穿孔部
３０  搬送部
３１  整合部
３２  ストッパ
３３  駆動軸
４０  折り部
５０  表紙給紙部
６０  搬出部
Ａ  画像形成装置
Ｂ  搬送ユニット
Ｃ  後処理部
ＣＬ  ワンウェイクラッチ
ＦＳ  後処理装置
Ｍ１〜Ｍ８  モータ
ＰＳ  センサ
Ｒ３２  搬送ローラ
Ｒ３２Ａ  駆動ローラ
Ｒ３２Ｂ  従動ローラ
Ｓ，Ｓ１，Ｓ２，Ｓ３  用紙
ＳＤ１，ＳＤ２，ＳＤ３，ＳＤ４  ソレノイド
Ｖ  空間部
【図１】
2008285322.tif 000003
【図２】
2008285322.tif 000004
【図３】
2008285322.tif 000005
【図４】
2008285322.tif 000006
【図５】
2008285322.tif 000007
【図６】
2008285322.tif 000008
【図７】
2008285322.tif 000009
【図８】
2008285322.tif 000010
【図９】
2008285322.tif 000011
【図１０】
2008285322.tif 000012
【図１１】
2008285322.tif 000013
【図１２】
2008285322.tif 000014
【図１３】
2008285322.tif 000015
【図１４】
2008285322.tif 000016
【図１５】
2008285322.tif 000017
【図１６】
2008285322.tif 000018
【図１７】
2008285322.tif 000019
【図１８】
2008285322.tif 000020
【図１９】
2008285322.tif 000021
【図２０】
2008285322.tif 000022
【図２１】
2008285322.tif 000023
【図２２】
2008285322.tif 000024
【図２３】
2008285322.tif 000025